(57)【要約】【課題】  表示画面を見ないで音声だけでも好適に情報の認識を行うことが可能な音声メニューモードを実現することが可能な携帯端末装置を提供する。【解決手段】  情報を音声出力することによりユーザに伝える音声メニューモードを実行可能な携帯端末装置１００である。音声メニューモードに関する操作を行うための音声メニューモード操作部１５を備える。音声メニューモード操作部１５に対して音声メニューモードへの移行操作がなされると、音声メニューモードに移行する。音声メニューモードにおいて選択可能なメニュー項目のなかから、メニュー項目を選択する操作がなされる度に、確認のための音声出力を行う。メニュー項目の決定操作がなされると、該選択されたメニュー項目に関する機能を実行するとともに、該選択されたメニュー項目に関する音声出力を行う。音声メニューモードにおけるメニュー項目の階層構造は、音声メニューモード以外のモードにおけるメニュー項目の階層構造とは別に用意された専用のものである。【選択図】    図１
2008227650.tif 000002
【特許請求の範囲】
【請求項１】
情報を音声出力することによりユーザに伝える音声メニューモードを実行可能な携帯端末装置において、
音声メニューモードに関する操作を行うための音声メニューモード操作部を備え、
前記音声メニューモード操作部に対して音声メニューモードへの移行操作がなされると、音声メニューモードに移行し、
音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、
前記音声メニューモードにおけるメニュー項目の階層構造は、前記音声メニューモード以外のモードにおけるメニュー項目の階層構造とは別に用意された専用のものであることを特徴とする携帯端末装置。
【請求項２】
情報を音声出力することによりユーザに伝える音声メニューモードを実行可能な携帯端末装置において、
相互に軸支された第１及び第２の筐体を備え、
前記第１の筐体はメイン表示部を備え、
前記第１及び第２の筐体を相互に回動させることにより、前記メイン表示部を隠した状態とすることが可能に構成され、
前記第１の筐体及び前記第２の筐体のうちの少なくとも何れか一方において、前記メイン表示部を隠した状態でも操作可能な位置に、音声メニューモードに関する操作を行うための音声メニューモード操作部が配置され、
前記音声メニューモード操作部に対して音声メニューモードへの移行操作がなされると、音声メニューモードに移行し、
音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、
前記音声メニューモードにおけるメニュー項目の階層構造は、前記音声メニューモード以外のモードにおけるメニュー項目の階層構造とは別に用意された専用のものであることを特徴とする携帯端末装置。
【請求項３】
情報を音声出力することによりユーザに伝える音声メニューモードを実行可能な携帯端末装置において、
本体部と、
ユーザが前記本体部に対してリモートコントロール操作を行うためのリモートコントロール操作部と、
を備え、
前記リモートコントロール操作部は、音声メニューモードに関する操作を行うための音声メニューモード操作部を備え、
前記音声メニューモード操作部に対して音声メニューモードへの移行操作がなされると、音声メニューモードに移行し、
音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、
前記音声メニューモードにおけるメニュー項目の階層構造は、前記音声メニューモード以外のモードにおけるメニュー項目の階層構造とは別に用意された専用のものであることを特徴とする携帯端末装置。
【請求項４】
前記リモートコントロール操作部は、前記音声メニューモードへの移行操作を行うための音声メニューモード切替操作部と、前記メニュー項目の選択操作及び決定操作を行うためのシーソーキーと、を備え、
前記シーソーキーを第１の方向へ傾動させる度に、メニュー項目を順方向に１つずつ選択する操作が可能であり、
前記シーソーキーを押し込むことにより、その段階で選択されているメニュー項目に決定する操作が可能であることを特徴とする請求項３に記載の携帯端末装置。
【請求項５】
前記リモートコントロール操作部は、前記音声メニューモードへの移行操作を行うための音声メニューモード切替操作部と、前記メニュー項目の選択操作、決定操作及び解除操作を行うためのシーソーキーと、を備え、
前記シーソーキーを第１の方向へ傾動させる度に、メニュー項目を順方向に１つずつ選択する操作が可能であり、
前記シーソーキーを短押しすることにより、その段階で選択されているメニュー項目に決定する操作が可能であり、
前記シーソーキーを長押しすることにより、その段階で選択されているメニュー項目を選択解除することが可能であることを特徴とする請求項３に記載の携帯端末装置。
【請求項６】
前記シーソーキーを第２の方向へ傾動させる度に、メニュー項目を逆方向に１つずつ選択する操作が可能であることを特徴とする請求項４又は５に記載の携帯端末装置。
【請求項７】
前記リモートコントロール操作部は、イヤホン又はヘッドホンを備え、前記音声出力は前記イヤホン又はヘッドホンから出力可能であることを特徴とする請求項３乃至６の何れか一項に記載の携帯端末装置。
【請求項８】
前記リモートコントロール操作部は、信号線を介して前記本体部と接続され、前記信号線を介して、前記本体部との間で、少なくとも当該リモートコントロール操作部に対する操作の検出信号を含む信号の送受信を行うことを特徴とする請求項３乃至７の何れか一項に記載の携帯端末装置。
【請求項９】
前記リモートコントロール操作部は、無線通信により、前記本体部との間で、少なくとも当該リモートコントロール操作部に対する操作の検出信号を含む信号の送受信を行うことを特徴とする請求項３乃至８の何れか一項に記載の携帯端末装置。
【請求項１０】
前記リモートコントロール操作部は、リモート表示部を備え、
前記音声メニューモードにおける音声出力の際には、音声出力されるテキスト情報が前記リモート表示部に表示されることを特徴とする請求項３乃至９の何れか一項に記載の携帯端末装置。
【請求項１１】
前記第１及び第２の筐体のうちの何れか一方は、前記メイン表示部を隠した状態でも視認可能な位置に、サブ表示部を備え、
前記音声メニューモードにおける音声出力の際には、音声出力されるテキスト情報が前記サブ表示装置に表示されることを特徴とする請求項２に記載の携帯端末装置。
【請求項１２】
情報を音声出力することによりユーザに伝える音声メニューモードを携帯端末装置が実行する方法において、
ユーザにより音声メニューモードへの移行操作がなされると、音声メニューモードに移行する第１の過程と、
ユーザによりメニュー項目の選択操作がなされる度に、確認のための音声出力を行う第２の過程と、
ユーザによりメニュー項目の決定操作がなされると、該選択されたメニュー項目に関する機能を実行するとともに、該選択されたメニュー項目に関する音声出力を行う第３の過程と、
を備え、
前記音声メニューモードにおけるメニュー項目の階層構造としては、前記音声メニューモード以外のモードにおけるメニュー項目の階層構造とは別に用意された専用のものを用いることを特徴とする携帯端末装置の音声メニューモード実行方法。
【請求項１３】
コンピュータが実行可能なプログラムにおいて、請求項１２に記載の携帯端末の音声メニューモード実行方法をコンピュータに実行させることを特徴とするプログラム。
【発明の詳細な説明】
【技術分野】
【０００１】
本発明は、携帯端末装置、その音声メニューモード実行方法及びそのプログラムに関する。
【背景技術】
【０００２】
携帯電話の利用用途を考えた場合、電話をかけたり、メールを読み書きしたり、インターネットを閲覧したり、スケジュールを確認したり、写真撮影やＧＰＳを利用するといった開状態での利用と、着信してきた電話に出たり、着信したメールをテキスト読上げで聞いたり、音楽を聴いたりといった閉状態での利用に分けられる。閉状態では、受動的なユーザの要求に対する利用が中心で、開状態における電話をかけたり、スケジュールを確認したりといった積極的に活用するユーザの要求に対応した利用ができなかった。
【０００３】
このような場合、音声案内によるメニュー操作と、テキスト読上げによるデータ確認が行えれば、積極的に情報を活用するユーザの要求に対応した利用が可能となり、閉状態における携帯電話の機能操作を拡張し、携帯電話を今まで以上にフル活用することが可能である。
【０００４】
そのような事情から、従来から、携帯電話を閉状態もしくは鞄や衣類のポケットなどに収納した状態で利用する場合、メールや電話の着信を音声案内したり、着信した未読メールの内容を音声変換して読み上げたりするといったユーザの受動的な利用に対応した音声案内による操作機能はあった。
【０００５】
また、特許文献１には、画面表示と音声表示とを切り替える操作部を含む入力操作部と、画面表示部に表示するための機能及び機能選択のためのガイダンス用又は電子メールなどの画面表示データを音声に変換する音声合成部と、を備え、所定機能の起動状態における入力操作部に対する操作により音声表示へ切り替えた後、音声信号を音声ガイダンス又はメール文の読み上げとしてスピーカーから出力する技術が開示されている。
【特許文献１】特開２００４−１１２３２７号公報
【発明の開示】
【発明が解決しようとする課題】
【０００６】
しかしながら、特許文献１の技術では、その図１に示すように、メイン表示部の下側に位置する操作部に対する操作により、音声メニューモードへの切り替えや、音声メニューモード時における各種の要求操作を行う構成である。
【０００７】
このため、特許文献１の技術では、携帯端末装置が開閉式或いは折り畳み式などの場合に閉状態のままで音声メニューモードの機能を利用することができないという問題や、携帯端末装置を鞄や衣類のポケットなどに収納した状態では音声メニューモードの機能を利用することが困難であるという問題があった。
【０００８】
また、特許文献１の技術では、所定機能の起動状態において、操作により音声メニューモードに移行し、起動中であった機能の続きが実行される構成であるため、表示画面を見ないで音声だけで情報の認識を行うには不都合な場合があるという問題もあった。
【０００９】
本発明は、上記のような問題点を解決するためになされたもので、表示画面を見ないで音声だけでも好適に情報の認識を行うことが可能な音声メニューモードを実現することが可能な携帯端末装置、その音声メニューモード実行方法及びそのプログラムを提供することを目的とする。
【００１０】
更に、本発明は、携帯端末装置が折り畳み式或いはその他の開閉式の場合に閉状態のままでも音声メニューモードの機能を利用したり、携帯端末装置を鞄や衣類のポケットなどに収納した状態でも音声メニューモードの機能を利用することが容易な携帯端末装置、その音声メニューモード実行方法及びそのプログラムを提供することを目的とする。
【課題を解決するための手段】
【００１１】
上記課題を解決するため、本発明の携帯端末装置は、情報を音声出力することによりユーザに伝える音声メニューモードを実行可能な携帯端末装置において、音声メニューモードに関する操作を行うための音声メニューモード操作部を備え、前記音声メニューモード操作部に対して音声メニューモードへの移行操作がなされると、音声メニューモードに移行し、音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、前記音声メニューモードにおけるメニュー項目の階層構造は、前記音声メニューモード以外のモードにおけるメニュー項目の階層構造とは別に用意された専用のものであることを特徴としている。
【００１２】
また、本発明の携帯端末装置は、情報を音声出力することによりユーザに伝える音声メニューモードを実行可能な携帯端末装置において、相互に軸支された第１及び第２の筐体を備え、前記第１の筐体はメイン表示部を備え、前記第１及び第２の筐体を相互に回動させることにより、前記メイン表示部を隠した状態とすることが可能に構成され、前記第１の筐体及び前記第２の筐体のうちの少なくとも何れか一方において、前記メイン表示部を隠した状態でも操作可能な位置に、音声メニューモードに関する操作を行うための音声メニューモード操作部が配置され、前記音声メニューモード操作部に対して音声メニューモードへの移行操作がなされると、音声メニューモードに移行し、音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、前記音声メニューモードにおけるメニュー項目の階層構造は、前記音声メニューモード以外のモードにおけるメニュー項目の階層構造とは別に用意された専用のものであることを特徴としている。
【００１３】
また、本発明の携帯端末装置は、情報を音声出力することによりユーザに伝える音声メニューモードを実行可能な携帯端末装置において、本体部と、ユーザが前記本体部に対してリモートコントロール操作を行うためのリモートコントロール操作部と、を備え、前記リモートコントロール操作部は、音声メニューモードに関する操作を行うための音声メニューモード操作部を備え、前記音声メニューモード操作部に対して音声メニューモードへの移行操作がなされると、音声メニューモードに移行し、音声メニューモードにおいて選択可能なメニュー項目のなかから、メニュー項目を選択する操作がなされる度に、確認のための音声出力を行い、メニュー項目の決定操作がなされると、該選択されたメニュー項目に関する機能を実行するとともに、該選択されたメニュー項目に関する音声出力を行い、前記音声メニューモードにおけるメニュー項目の階層構造は、前記音声メニューモード以外のモードにおけるメニュー項目の階層構造とは別に用意された専用のものであることを特徴としている。
【００１４】
本発明の携帯端末装置においては、前記リモートコントロール操作部は、前記音声メニューモードへの移行操作を行うための音声メニューモード切替操作部と、前記メニュー項目の選択操作及び決定操作を行うためのシーソーキーと、を備え、前記シーソーキーを第１の方向へ傾動させる度に、メニュー項目を順方向に１つずつ選択する操作が可能であり、前記シーソーキーを押し込むことにより、その段階で選択されているメニュー項目に決定する操作が可能であることが好ましい例である。
【００１５】
本発明の携帯端末装置においては、前記リモートコントロール操作部は、前記音声メニューモードへの移行操作を行うための音声メニューモード切替操作部と、前記メニュー項目の選択操作、決定操作及び解除操作を行うためのシーソーキーと、を備え、前記シーソーキーを第１の方向へ傾動させる度に、メニュー項目を順方向に１つずつ選択する操作が可能であり、前記シーソーキーを短押しすることにより、その段階で選択されているメニュー項目に決定する操作が可能であり、前記シーソーキーを長押しすることにより、その段階で選択されているメニュー項目を選択解除することが可能であることも好ましい例である。
【００１６】
本発明の携帯端末装置においては、前記シーソーキーを第２の方向へ傾動させる度に、メニュー項目を逆方向に１つずつ選択する操作が可能であることが好ましい。
【００１７】
本発明の携帯端末装置においては、前記リモートコントロール操作部は、イヤホン又はヘッドホンを備え、前記音声出力は前記イヤホン又はヘッドホンから出力可能であることが好ましい。
【００１８】
本発明の携帯端末装置においては、前記リモートコントロール操作部は、信号線を介して前記本体部と接続され、前記信号線を介して、前記本体部との間で、少なくとも当該リモートコントロール操作部に対する操作の検出信号を含む信号の送受信を行うことが好ましい例である。
【００１９】
或いは、本発明の携帯端末装置においては、前記リモートコントロール操作部は、無線通信により、前記本体部との間で、少なくとも当該リモートコントロール操作部に対する操作の検出信号を含む信号の送受信を行うことも好ましい。
【００２０】
本発明の携帯端末装置においては、前記リモートコントロール操作部は、リモート表示部を備え、前記音声メニューモードにおける音声出力の際には、音声出力されるテキスト情報が前記リモート表示部に表示されることも好ましい。
【００２１】
本発明の携帯端末装置においては、前記第１及び第２の筐体のうちの何れか一方は、前記メイン表示部を隠した状態でも視認可能な位置に、サブ表示部を備え、前記音声メニューモードにおける音声出力の際には、音声出力されるテキスト情報が前記サブ表示装置に表示されることも好ましい。
【００２２】
また、本発明の携帯端末装置の音声メニューモード実行方法は、情報を音声出力することによりユーザに伝える音声メニューモードを携帯端末装置が実行する方法において、ユーザにより音声メニューモードへの移行操作がなされると、音声メニューモードに移行する第１の過程と、ユーザによりメニュー項目の選択操作がなされる度に、確認のための音声出力を行う第２の過程と、ユーザによりメニュー項目の決定操作がなされると、該選択されたメニュー項目に関する機能を実行するとともに、該選択されたメニュー項目に関する音声出力を行う第３の過程と、を備え、前記音声メニューモードにおけるメニュー項目の階層構造としては、前記音声メニューモード以外のモードにおけるメニュー項目の階層構造とは別に用意された専用のものを用いることを特徴としている。
【００２３】
また、本発明のプログラムは、コンピュータが実行可能なプログラムにおいて、本発明の携帯端末の音声メニューモード実行方法をコンピュータに実行させることを特徴としている。
【発明の効果】
【００２４】
本発明によれば、音声メニューモードにおけるメニュー項目の階層構造は、音声メニューモード以外のモードにおけるメニュー項目の階層構造とは別に用意された専用のものであるので、表示画面を見ないで音声だけでも好適に情報の認識を行うことが可能な程度に簡潔な情報のみを扱うような階層構造とすることができ、表示画面を見ないで音声だけでも好適に情報の認識を行うことを可能とすることができる。
【００２５】
更に、本発明によれば、相互に軸支された第１及び第２の筐体を備え、前記第１の筐体はメイン表示部を備え、前記第１及び第２の筐体を相互に回動させることにより、前記メイン表示部を隠した状態とすることが可能に構成された携帯端末装置の場合に、前記第１の筐体及び前記第２の筐体のうちの少なくとも何れか一方において前記メイン表示部を隠した状態でも操作可能な位置に、音声メニューモード操作部が配置されているので、携帯端末装置が折り畳み式或いはその他の開閉式の場合に閉状態のままでも音声メニューモードの機能を利用することが可能となる。
【００２６】
更に、本発明によれば、本体部と、ユーザが前記本体部に対してリモートコントロール操作を行うためのリモートコントロール操作部と、を備える携帯端末装置の場合に、前記リモートコントロール操作部が音声メニューモード操作部を備えるので、携帯端末装置を鞄や衣類のポケットなどに収納した状態でも音声メニューモードの機能を利用することが容易となる。
【発明を実施するための最良の形態】
【００２７】
以下、図面を参照して、本発明に係る実施形態について説明する。
【００２８】
本実施形態では、本発明に係る携帯端末装置の好適な一例としての携帯電話機についての説明を行う。
【００２９】
図１は本実施形態に係る携帯電話機１００の外観図である。
【００３０】
図１に示すように、本実施形態に係る携帯電話機１００は、携帯電話本体部１０と、この携帯電話本体部１０に接続された付属装置２０と、により構成されている。
【００３１】
先ず、携帯電話本体部１０の構成を説明する。
【００３２】
図２は携帯電話本体部１０の構成を示すブロック図である。
【００３３】
図２に示すように、携帯電話本体部１０は、例えば、ＣＰＵ或いはその他のマイクロプロセッサからなり各種の制御動作を行う制御回路３１０と、この制御回路３１０の動作用プログラムや各種のデータを記憶する記憶部３１６と、ユーザによる各種の操作を受け付ける本体側キー操作部３１１と、電子メールなどの登録データの件数や容量、名前、機能実行結果などの情報をテキストに変換したりするデータ変換を行うデータ変換部３１２と、携帯電話機１００の位置情報の演算に用いられる電波をＧＰＳ衛星から受信するＧＰＳ（Ｇｌｏｂａｌ  Ｐｏｓｉｔｉｏｎｉｎｇ  Ｓｙｓｔｅｍ）受信機３１５と、被写体の撮像を行う撮像部３１７と、この撮像部３１７による撮像によって得られた撮像データを処理することにより動画データ又は静止画データを生成する映像処理部３１３と、音声の入力を受け付けるマイクロフォン３１９と、音声の再生や録音などの音声処理を行なう音声処理部３１４と、音声を再生するスピーカー３１８と、付属装置２０への制御信号の出力端子や付属装置２０からの検出信号の入力端子として機能する接続端子３２２と、無線電波を送受信するアンテナ３２３と、このアンテナ３２３を介して無線電波を送受信することにより基地局（図示略）との間で無線通信を行う通信部３２１と、各種の表示動作を行う第１及び第２表示装置３２０、３２４と、を備えている。
【００３４】
制御回路３１０には、本体側キー操作部３１１、データ変換部３１２、音声処理部３１４、ＧＰＳ受信機３１５、記憶部３１６、接続端子３２２、通信部３２１、第１及び第２表示装置３２０，３２４が接続されている。
【００３５】
そして、制御回路３１０は、データ変換部３１２、音声処理部３１４、ＧＰＳ受信機３１５、通信部３２１、第１及び第２表示装置３２０，３２４の動作制御を行ったり、記憶部３１６へデータ（データ変換部３１２による変換後のデータを含む）を記憶させたり、記憶部３１６のデータを読み取ったり、接続端子３２２へ制御信号を出力したり、付属装置２０から接続端子３２２に入力された信号に応じて各種の制御動作を行ったり、本体側キー操作部３１１に対する操作に応じて各種の制御動作を行ったりする。
【００３６】
本体側キー操作部３１１は、複数の操作キーからなり、携帯電話機１００の機能の選択操作や、文字を入力するため入力操作を受け付ける。
【００３７】
第１表示装置３２０及び第２表示装置３２４のうち、例えば、第１表示装置３２０は第２表示装置３２４よりも画面が大きいメイン表示装置であり、電子メール、ＷＥＢブラウザ、撮影映像、ゲームといった様々なデバイスからの出力情報を表示する。また、第２表示装置３２４は、第１表示装置３２０よりも画面が小さいサブ表示装置であり、例えば、付属装置２０の第３表示装置３５３（後述）と同様の表示機能を担う。
【００３８】
データ変換部３１２は、マイクロフォン３１９から入力され音声処理部３１４による処理後の音声データを、通信方式や通信サービスに適したフォーマットに変換する。データ変換部３１２に変換されたデータは、通信部３１２によりインターネット通信網や電話サービス通信網に送信可能である。
【００３９】
更に、データ変換部３１２は、音声メニュー実行時に音声メニュー案内として音声出力される情報をテキストデータ化し、このテキストデータを音声処理部３１４を通じてスピーカー３１８或いは付属装置２０のスピーカー３５５（後述）から音声出力させる。
【００４０】
音声メニュー実行時に音声メニュー案内として音声出力される情報には、記憶部３１６に記憶されたメニュー情報や登録データが含まれる。
【００４１】
このうちメニュー情報は、音声メニューモードで選択可能なメニュー名を示す情報である。
【００４２】
ここで、図９は、音声メニューモードにおいて選択可能なメニュー項目の階層構造（メニューツリー）の一例を示す図である。
【００４３】
図９に示すように、音声メニューモードにおいて選択可能なメニュー項目は、例えば、上層及び下層の２層からなる階層構造をなしており、上層のメニュー項目としては、例えば「メール」及び「ツール」の何れかを選択可能となっている。
【００４４】
また、メールを選択した場合には、図９に示すように、例えば、「受信ＢＯＸ」及び「送信ＢＯＸ」の何れかを選択可能となっている。
【００４５】
このうち「受信ＢＯＸ」は、受信した電子メールの中から音声出力したいメールを選択できるとともに、選択した電子メールの内容を音声出力することが可能なメニューである。
【００４６】
また、「送信ＢＯＸ」は、送信済みの電子メール或いは作成済みだが送信前の電子メールの中から音声出力したいメールを選択できるとともに、選択した電子メールの内容を音声出力することが可能なメニューである。
【００４７】
また、「ツール」を選択した場合には、図９に示すように、例えば、「留守録」、「スケジューラー」及び「ＧＰＳ」の何れかを選択可能となっている。
【００４８】
このうち「留守録」は、留守録された音声データのうち音声出力したいものを選択できるとともに、選択した音声データを音声出力することが可能なメニューである。
【００４９】
また、「スケジューラー」は、登録したスケジュールのうち、音声出力したいものを選択できるとともに、選択したスケジュールの内容を音声出力することが可能なメニューである。
【００５０】
また、「ＧＰＳ」は、ＧＰＳ機能により得られた現在位置情報を音声出力するメニューである。
【００５１】
なお、音声メニューモードにおけるメニュー項目の階層構造（図９）は、音声メニューモード以外のモードにおけるメニュー項目の階層構造とは別に用意された専用のものであり、音声メニューモード以外のモードにおけるメニュー項目の階層構造と比べると簡易な構成となっている。
【００５２】
なお、携帯電話本体部１０は、例えば、一対の筐体を備え、これら一対の筐体が開閉可能に構成されている。図１には、携帯電話本体部１０の一対の筐体を閉じた状態を示している。ここで、第１表示装置３２０及び第２表示装置３２４のうち、第１表示装置３２０は携帯電話本体部１０の筐体を閉じた内側に隠れて見えないようになる一方で、第１表示装置３２０よりも画面が小さい第２表示装置３２４は携帯電話本体部１０の一対の筐体を折り畳んだ状態でも外側に位置し、図１に示すように見える状態となる。なお、本実施形態は、携帯電話本体部１０の筐体が開閉式でなくても良く、開閉式でない場合は、第２表示装置３２４の機能を第１表示動作３２０が兼ねるものとする。
【００５３】
また、本体側キー操作部３１１には、例えば、主操作部（図示略）と副操作部１５（図１）とが含まれている。
【００５４】
このうち主操作部は、数字入力や文字入力を行うためのテンキーや方向指示操作などを行うためのカーソルキーなどを有するが、例えば、図１に示すように携帯電話本体部１０を折り畳んだ状態では内側に隠れて見えないようになっている。
【００５５】
対して、副操作部１５は、例えば、携帯電話本体部１０の側面など、携帯電話本体部１０を折り畳んだ状態でも、ユーザにより操作可能な位置に配置されている。
【００５６】
次に、付属装置２０の構成を説明する。
【００５７】
付属装置２０は、例えば、携帯電話本体部１０を遠隔操作によって操作するリモートコントロール操作部及びヘッドフォンスピーカーとしての機能を有するものあり、例えば、図１に示すように、付属装置本体部２１と、この付属装置本体部２１の一端側から導出されたヘッドフォンスピーカー部２２と、付属装置本体部２１の他端側から導出された接続コード２３と、この接続コード２３の先端に設けられた接続端子３５２と、を備えている。
【００５８】
図３は付属装置２０の構成を示すブロック図である。
【００５９】
図３に示すように、付属装置２０は、付属装置２０における各種の制御動作を行うサブ制御部３５１と、ユーザによる各種の操作を受け付ける付属装置側キー操作部３５４と、例えばヘッドフォンスピーカー部２２（図１）の先端に設けられた一対のスピーカー（ヘッドホン）３５５と、各種の表示動作を行う小型の表示装置である第３表示装置３５３と、上記の接続端子３５２と、を備えている。なお、ヘッドフォンスピーカー部２２はスピーカー３５５を１個だけ備える（イヤホンを備える）のであっても良い。
【００６０】
付属装置２０の付属装置側キー操作部３５４に対する操作により実行できる機能は限定されており、例えば、付属装置側キー操作部３５４に対する操作により、音声メニューモードの起動、音声メニューモードにおける選択操作、音楽再生などが実行される。
【００６１】
第３表示装置３５３に表示される内容は限定されている。すなわち、第２表示装置３５３では、例えば、音声メニューモードにおける音声出力内容をテキストで表示したり、音楽の再生情報などを表示する。
【００６２】
接続端子３５２は、例えば、携帯電話本体部１０の接続端子３２２に差し込まれることにより、該接続端子３２２に接続されている。
【００６３】
図４は付属装置２０の外観を示す図である。
【００６４】
図４に示すように、付属装置２０のキー操作部３５４は、例えば、音声メニューモードへの移行操作及び音声メニューモードの解除操作を行うための音声メニューモード切替操作部２５と、音声メニューモードにおけるメニュー項目などの選択操作、決定操作（確定操作）及び選択解除操作を行うためのシーソーキー２６と、を備えている。
【００６５】
音声メニューモード切替操作部２５は、例えば、スライドスイッチからなり、当該音声メニューモード切替操作部２５を一方向にスライドさせることにより、携帯電話機１００の動作モードを音声メニューモードに移行させることができるようになっている。一方、音声メニューモードの状態から、音声メニューモード切替操作部２５を逆方向にスライドさせることにより、制御回路３１０に対して割り込み信号を出力し、音声メニューモードを解除させることができるようになっている。
【００６６】
シーソーキー２６は、例えば、図４の矢印Ａ方向への押し込み操作と、矢印Ｂ方向へ傾動させる操作と、Ｂ方向に対して反対方向の矢印Ｃ方向へ傾動させる操作と、の３種類の操作を受け付けるように構成されている。
【００６７】
このうち、例えば、矢印Ｂ方向への傾動操作により、メニュー項目やそのメニュー項目における選択対象（個々の電子メールやスケジュールなど）を順方向に１つずつ選択していく（選択対象を変えていく）ことが可能となっている。同様に、例えば、矢印Ｃ方向への傾動操作により、メニュー項目やそのメニュー項目における選択対象を逆方向に１つずつ選択していくことが可能となっている。
【００６８】
また、矢印Ａ方向への短押し（短時間の押し込み操作後にシーソーキー２６の押し込みを解除する操作）により、その段階で選択されている選択対象に決定（確定）し、その選択対象に応じた機能の実行や音声出力をさせることが可能となっている。
【００６９】
矢印Ａ方向への長押し（長時間の押し込み操作）により、その段階で選択されている選択対象を選択解除し、例えば、図９の階層構造における上層のメニュー項目を選択可能な状態に移行したり、或いは、複数の電子メールの中から何れかを選択している状態であれば「受信ＢＯＸ」又は「送信ＢＯＸ」を選択できる状態に移行したり、複数のスケジュールの中から何れかを選択している状態であれば「スケジューラー」、「ＧＰＳ」「留守録」の何れかを選択できる状態に移行したりする。
【００７０】
なお、シーソーキー２６に対する上記のような入力状態の割り当ては一例であり、その他の割り当てをしても良い。
【００７１】
また、携帯電話本体部１０の副操作部１５は、付属装置２０のキー操作部３５４と同様の機能を担うものである。
【００７２】
すなわち、副操作部１５は、例えば、音声メニューモードへの移行と音声メニューモードの解除を行うための音声メニューモード切替操作部１１と、音声メニューモードにおけるメニュー項目などの選択操作を行うためのシーソーキー１２と、音声メニューモードにおける選択決定操作及び選択解除操作を行うためのシーソーキー１３と、を備えている。
【００７３】
このうち、音声メニューモード切替操作部１１は、例えば、音声メニューモード切替操作部２５と同様に、スライドスイッチからなる。
【００７４】
また、シーソーキー１２は、例えば、その第１部分１２Ａに対する押し込み操作がシーソーキー２６における矢印Ｂ方向への傾動操作と同じ入力状態に割り当てられ、その第２部分１２Ｂに対する押し込み操作がシーソーキー２６における矢印Ｃ方向への傾動操作と同じ入力状態に割り当てられている。
【００７５】
また、シーソーキー１３は、例えば、その第１部分１３Ａに対する押し込み操作がシーソーキー２６における矢印Ａ方向への短押し同じ入力状態に割り当てられ、その第２部分１３Ｂに対する押し込み操作がシーソーキー２６における矢印Ａ方向への長押し同じ入力状態に割り当てられている。
【００７６】
次に、動作を説明する。
【００７７】
図５及び図６は携帯電話機１００の動作の流れを示すフローチャートであり、このうち図５は音声メニューモード時の動作を示し、図６は音声メニューモードの終了時の動作を示す。
【００７８】
また、図７及び図８は音声メニューモード時のユーザによる操作に応じた音声メニューモードにおける音声案内動作の例をステップ毎に示す図であり、図７は一連の動作の前半部分を、図８は一連の動作の後半部分を、それぞれ示す。
【００７９】
なお、以下では、キー操作として、付属装置２０の付属装置側キー操作部３５４に対する操作を使用する例を説明するが、携帯電話本体部１０の副操作部１５に対する操作を使用した場合も以下の説明と同様である。
【００８０】
図７及び図８には、各ステップの符号（Ｓ１〜Ｓ２０）と、各ステップにおいて音声出力されるメッセージの符号（５００１〜５０１８）と、各ステップにおいて音声出力される内容（音声出力内容と対応する第３表示装置３５３での表示内容）と、各ステップにおけるシーソーキー２６に対する操作の種類と、を示している。なお、図７の右部には、シーソーキー２６に対する操作の種類の凡例を示している。
【００８１】
先ず、例えば、付属装置２０の音声メニューモード切替操作部２５が一方向にスライド操作されると、携帯電話機１０は音声メニューモードに移行し、音声メニューの初期化がなされる。更に、音声メニューモードのスタート位置を利用者に認識させるため、初期音声メニューメッセージを音声出力する（図５のステップＳ４００１）。
【００８２】
初期音声メニューメッセージは、例えば、図７のステップＳ１に示すように、「音声メニュー操作を開始します」といったメッセージ５００１である。
【００８３】
図５のステップＳ４００１に続いては、メニューツリーの最上層における選択操作待ち状態となり、メニュー項目の選択及び決定がなされたか否かを判定する（図５のステップＳ４００２）。
【００８４】
シーソーキー２６を図４の矢印Ｂ方向又はＣ方向へ傾動することによる選択操作がなされるたびに、メニュー項目が１つずつ順番に選ばれ、そのつど選ばれたメニュー項目を音声出力する。
【００８５】
例えば、図７に示すように、ステップＳ１の段階で、シーソーキー２６が１回だけ順方向（矢印Ｂ方向）に操作されると、ステップＳ２に示すように上層のメニュー項目のうち１番目の項目である「メール」が選ばれて、「メール（に入ります）」といったメッセージ５００２を音声出力する。
【００８６】
このように、メニュー項目や機能が選ばれた際には、「（メニュー項目名）に入ります」、或いは、「（メニュー項目名）を実行します」といったように、操作確認用の音声が合成されて音声出力される。また、シーソーキー２６の長押しにより前の階層に戻る場合は「（メニュー項目名）に戻ります」といったように、操作確認用の音声が合成されて音声出力される。
【００８７】
更に、例えば、図７に示すように、ステップＳ２の段階で、操作するメニュー項目が、シーソーキー２６の短押しにより決定されると、図５ではステップＳ４００２のＹｅｓとなってステップＳ４００３に移行する。
【００８８】
ステップＳ４００３では、選択されたメニューツリーの構成情報を取得し、メニューツリーを自動的に構成する。このとき、構成されたメニューに関し、ステータス情報が含まれているか否かを確認し（ステップＳ４００４）、含まれていれば（ステップＳ４００４のＹｅｓ）、ステータス情報を音声出力する（ステップＳ４００５）。
【００８９】
例えば、「メール」であれば、新着メールや未読メールといった経時的に変化するデータの状態などを選択したメニュー項目の機能が管理しており、その状態に変化がある場合には、ステップＳ４００４ではＹｅｓとなり、ステップＳ４００５にてステータス情報を音声出力してからステップＳ４００６に移行する。
【００９０】
対して、そのようなステータス情報の変化が無い場合や、ステータス情報自体が無いメニュー項目が選択された場合には、ステップＳ４００４ではＮｏとなり、ステップＳ４００５をスキップしてステップＳ４００６に移行する。
【００９１】
具体的には、例えば、図７に示すようにステップＳ２（「メール」）の段階でシーソーキー２６が短押しされると、ステータス情報として、例えば、図７のステップＳ３に示すように、「メール  １０件の新着メール、３０件の未読メール、１件の未送信メールがあります。」とのメッセージ５００３を音声出力する。
【００９２】
次に、図５のステップＳ４００６では、メニューツリーの下層におけるメニュー項目の選択及び決定がなされたか否かを判定する。ここでは、上層の場合と同様に、シーソーキー２６が操作されるたびに、メニュー項目が１つずつ順番に選ばれ、そのつど選ばれたメニュー項目を音声出力する。
【００９３】
例えば、図７に示すように、ステップＳ３の段階で選択キーがシーソーキー２６が１回だけ順方向に操作されると、図７のステップＳ４に示すように、１番目のメニュー項目である「受信メール」が選択され、「受信メール」とのメッセージ５００４を音声出力する。
【００９４】
更に、例えば、図７に示すように、ステップＳ４の段階で、操作するメニュー項目が、シーソーキー２６の短押しにより決定されると、図５ではステップＳ４００６のＹｅｓとなってステップＳ４００７に移行する。
【００９５】
ステップＳ４００７では、選択されたメニュー項目が、機能を実行を伴うものであるか否かを判定し、機能の実行を伴うものであれば（ステップＳ４００７のＹｅｓ）、選択されたメニュー項目の機能を実行（ステップＳ４００８）してから、ステップＳ４００６に戻る。他方、選択されたメニュー項目が、機能を実行を伴わないものであれば（ステップＳ４００７のＮｏ）、そのままステップＳ４００６に戻る。
【００９６】
例えば、ステップＳ４００５のようにステータス情報を音声出力したり、結果を返す機能を実行させたりするようなことがあれば、ステップＳ４００７ではＹｅｓとなり、その機能をステップＳ４００８にて実行する。
【００９７】
具体的には、図７に示すようにステップＳ４（「受信ＢＯＸ」）の段階でシーソーキー２６が短押しされると、ステータス情報として、例えば、図７のステップＳ５に示すように、「受信ＢＯＸ  １０件の新着メール、３０件の未読メール、１件の未送信メールがあります。」とのメッセージ５００５を音声出力する。
【００９８】
更に、図７に示すようにステップＳ５の段階でシーソーキー２６が１回だけ順方向に操作されると、図７のステップＳ６に示すように、「受信ＢＯＸ」に含まれるメニュー項目のうち１番目のメニュー項目である「新着メールを読む」が選択され、「新着メールを読む」とのメッセージ５００６を音声出力する。
【００９９】
更に、図７のステップＳ６の段階でシーソーキー２６が短押しされると、例えば、図７のステップＳ７に示すように、新しい方から１番目の新着メールの日時及びタイトルとして「２００６年９月１２日１２時２分土曜の釣りの件」といったメッセージ５００７を音声出力する。
【０１００】
更に、図７のステップＳ７の段階でシーソーキー２６が１回だけ順方向に操作されると、例えば、図７のステップＳ８に示すように、新しい方から２番目の新着メールの日時及びタイトルとして「２００６年９月１１日１７時１０分今晩は遅いの」といったメッセージ５００８を音声出力する。
【０１０１】
更に、図７のステップＳ８の段階でシーソーキー２６が短押しされると、例えば、図７のステップＳ９に示すように、新しい方から２番目の新着メールに対する機能を実行する（図５のステップＳ４００６のＹｅｓ→Ｓ４００７のＹｅｓ→Ｓ４００８）。すなわち、例えば、該メールの本文として「あなた今日は遅くなりますか・・・・・・」といったメッセージ５００９を音声出力する。その後、図５では再びステップＳ４００６に戻る。
【０１０２】
更に、図７のステップＳ９の段階で決定キーが長押しされると（図５のステップＳ４００６のＮｏ→ステップＳ４００９のＹｅｓ）、図５のステップＳ４０１０を経て、「受信ＢＯＸ」の１つ上の階層の「メール」に移行し、図７のステップＳ１０に示すように、「メール」とのメッセージ５００２を音声出力し、再び図５ではステップＳ４００２に戻り、ステップＳ４０１０で維持されたメニュー項目（例えば、「メール」）を音声出力する。
【０１０３】
更に、図７のステップＳ１０の段階でシーソーキー２６が１回だけ順方向に操作されると、例えば、図８のステップＳ１１に示すように上層のメニュー項目のうち２番目の項目である「ツール」が選ばれて、「ツール」といったメッセージ５０１０を音声出力する。
【０１０４】
更に、図８のステップＳ１１の段階でシーソーキー２６が短押しされると、例えば、図８のステップＳ１２に示すように、「ツール」の下層のメニュー項目のうち１番目の項目である「留守録」が選ばれて、「留守録」といったメッセージ５０１１を音声出力する。
【０１０５】
更に、図８のステップＳ１２の段階でシーソーキー２６が１回だけ順方向に操作されると、例えば、図８のステップＳ１３に示すように「ツール」の下層のメニュー項目のうち２番目の項目である「スケジューラー」が選ばれて、「スケジューラー」といったメッセージ５０１２を音声出力する。
【０１０６】
更に、図８のステップＳ１３の段階でシーソーキー２６が短押しされると、例えば、図８のステップＳ１４に示すように、当日のスケジュールの予定件数、その時間、及び内容として、「本日は２件の予定があります。１７時３０分  ＊＊＊＊会議、２０時０分  ＊＊＊タイムセール」といったメッセージ５０１３を音声出力する。
【０１０７】
更に、図８のステップＳ１４の段階でシーソーキー２６が１回だけ順方向に操作されると、例えば、図８のステップＳ１５に示すように、当日の１番目のスケジュールの時間、内容及び場所として、「１７時３０分から１９時００分  ＊＊＊＊会議、場所  Ａ会議室」といったメッセージ５０１４を音声出力する。
【０１０８】
更に、図８のステップＳ１５の段階でシーソーキー２６が１回だけ順方向に操作されると、例えば、図８のステップＳ１６に示すように、当日の２番目のスケジュールの時間、内容及び場所として、「２０時００分  ＊＊＊＊タイムセール、＊＊＊駅前店」といったメッセージ５０１５を音声出力する。
【０１０９】
更に、図８のステップＳ１６の段階で決定キーが長押しされると、「スケジューラー」に戻り、図８のステップＳ１７に示すように、「スケジューラー」とのメッセージ５００２を音声出力する。
【０１１０】
更に、図８のステップＳ１７の段階でシーソーキー２６が１回だけ順方向に操作されると、例えば、図８のステップＳ１８に示すように、「ツール」の下層のメニュー項目のうち３番目の項目である「ＧＰＳ」が選ばれて、「ＧＰＳ」といったメッセージ５０１６を音声出力する。
【０１１１】
更に、図８のステップＳ１８の段階でシーソーキー２６が短押しされると、例えば、図８のステップＳ１９に示すように、「現在位置を測定しますか？」といったメッセージ５０１７を音声出力する。
【０１１２】
更に、図８のステップＳ１９の段階でシーソーキー２６が短押しされると、例えば、図８のステップＳ２０に示すように、「現在位置を測定します。」といったメッセージの後、現在位置を測定し、測定できたら引き続き「現在位置は神奈川県＊＊市＊区付近です」といったメッセージ５０１８を音声出力する。
【０１１３】
このようにして、音声メニューモードは動作する。
【０１１４】
また、例えば、付属装置２０の音声メニューモード切替操作部２５が逆方向にスライド操作されると、割り込み信号が発生し（図６のステップＳ４９０１のＹｅｓ）、音声メニューモードが終了し（解除される：図６のステップＳ４９０２）、携帯電話機１００における通常の待ち受け状態に戻る。
【０１１５】
以上のような実施形態によれば、音声メニューモードにおけるメニュー項目の階層構造は、音声メニューモード以外のモードにおけるメニュー項目の階層構造とは別に用意された専用のものであるので、表示画面を見ないで音声だけでも好適に情報の認識を行うことが可能な程度に、簡潔な情報のみを扱うような階層構造とすることができ、表示画面を見ないで音声だけでも好適に情報の認識を行うことができる。
【０１１６】
更に、携帯電話機１００は折り畳み式に構成され、メイン表示部であるを第１表示装置３２０の表示画面を隠した状態でも操作可能な位置に、音声メニューモードに関する操作を行うための副操作部１５が配置されているので、閉状態のままでも音声メニューモードの機能を利用することが可能となる。
【０１１７】
更に、ユーザが携帯電話本体部１０に対してリモートコントロール操作を行うためのリモートコントロール操作部としての付属装置側キー操作部３５４を有する付属装置２０を備え、その付属装置側キー操作部３５４が音声メニューモード操作部として機能するので、携帯電話機１００を鞄や衣類のポケットなどに収納した状態でも音声メニューモードの機能を利用することが容易となる。
【０１１８】
よって、簡単なボタン操作と音声案内によるメニュー操作によって、携帯電話機１００を取り出すことなく、携帯電話機１００に登録された情報の閲覧及び操作が可能である。
【０１１９】
また、携帯電話機１００を閉じない状態でも、音声メニューモード切替操作部２５或いは音声メニューモード切替操作部１１を一方向に操作すれば、音声メニューモードへ移行させることができる。
【０１２０】
なお、上記の実施形態では、付属装置２０が接続コード（信号線）２３を介して携帯電話本体部１０との間で信号の送受信を行う例を説明したが、有線以外にＢｌｕｅｔｏｏｔｈなどの無線通信により、リモートコントロール操作部に対する操作の検出信号を含む信号の送受信を行うようにしても良い。
【０１２１】
また、音声メニュー化できる機能の階層や数を、ユーザが携帯電話機１００に対して操作を行うことにより、好みの階層や数にカスタマイズできるようにしても良い。
【０１２２】
更に、音声メニューモードにおける階層構造のメニュー項目や機能は、部品データとしてＷＥＢサイトなどから提供し、携帯電話機１０側で取得して利用できるようにしても良い。
【０１２３】
なお、音声メニューモードにおいて実行可能なメニュー項目や機能としては、上記の例の他に、例えば、音声を主体とした小説や詩などの朗読データの音声出力や、語学教育などのコンテンツデータの音声出力、点字キー入力とあわせた視覚障害者への携帯電話機の利用用途、バッテリー残量のステータスの音声出力、基地局からの電波受信状態の音声出力など、携帯電話機１００内で扱われる情報のうちテキストに変換可能なものは全てを対象とすることが可能である。
【０１２４】
また、音声メニューモードの解除が、ハードキースイッチ（音声メニューモード切替操作部２５、音声メニューモード切替操作部１１）に対する操作により行われる例を説明したが、この例に限らず、タスク競合などのソフトウェア的な解除を可能としても良い。
【図面の簡単な説明】
【０１２５】
【図１】実施形態に係る携帯電話機の外観図である。
【図２】携帯電話本体部の構成を示すブロック図である。
【図３】付属装置の構成を示すブロック図である。
【図４】付属装置の外観図である。
【図５】音声メニューモード時の携帯電話機の動作の流れを示すフローチャートである。
【図６】音声メニューモード終了時の携帯電話機の動作の流れを示すフローチャートである。
【図７】音声メニューモード時のユーザによる操作に応じた音声メニュー案内動作の例をステップ毎に示す図である（前半）。
【図８】音声メニューモード時のユーザによる操作に応じた音声メニュー案内動作の例をステップ毎に示す図である（後半）。
【図９】音声メニューモードにおいて選択可能なメニュー項目の階層構造（メニューツリー）の一例を示す図である。
【符号の説明】
【０１２６】
１０      携帯電話本体部（本体部）
１５      副操作部（音声メニューモード操作部）
２０      付属装置
２３      接続コード（信号線）
２５      音声メニューモード切替操作部
２６      シーソーキー
１００    携帯電話機（携帯端末装置）
３２０    第１表示装置（メイン表示部）
３２４    第２表示装置（サブ表示部）
３５３    第３表示装置（リモート表示部）
３５４    付属装置側キー操作部（リモートコントロール操作部）
３５５    スピーカー（ヘッドホン）
【図１】
2008227650.tif 000003
【図２】
2008227650.tif 000004
【図３】
2008227650.tif 000005
【図４】
2008227650.tif 000006
【図５】
2008227650.tif 000007
【図６】
2008227650.tif 000008
【図７】
2008227650.tif 000009
【図８】
2008227650.tif 000010
【図９】
2008227650.tif 000011